(57)【特許請求の範囲】
【請求項１】
通信媒体から受信された通信信号からシンボルを復元するための方法であって、そのシンボルは通信媒体内を拡散通信システム内で、拡散スペクトル通信システム内のチャンネルを定義するために使用される拡散シーケンスの組の第１拡散シーケンスに基づき送信される、前記方法であって：
受信された通信信号をそれぞれ１つがそれぞれの伝搬経路に関連する複数の信号成分に分解し（５２０）；
分解された複数の信号成分の各々を拡散シーケンスの組と相関を取って（５３０）、分解された信号成分のそれぞれ１つに対する相関の組を生成し、相関の組のそれぞれ１つが分解された信号成分と第１拡散シーケンスとのそれぞれの相関を含むようにし；
拡散シーケンスの組の第２拡散シーケンスに関連する干渉成分を、複数の分解された信号成分と第１拡散シーケンスとの相関から、複数の分解された信号成分と第２拡散シーケンスとの相関に基づいて相殺し（５４０）、分解された信号成分と第１拡散シーケンスとの干渉が相殺された相関の組を生成し；
干渉が相殺された相関の組から送信されたシンボルを推定する（５５０）、以上のステップを含む、前記方法。
【請求項２】
請求項１記載の方法において、前記相殺するステップが第２拡散シーケンスを拡散シーケンスの組と分解された信号成分との相関に基づいて同定する（８４０，８５０）ステップを含む、前記方法。
【請求項３】
請求項１記載の方法において、拡散シーケンスが直交である、前記方法。
【請求項４】
請求項３記載の方法において、拡散シーケンスの組がアダマール符号を含み、ここで相関を行う前記ステップが複数の分解された信号成分の各々を高速アダマール変換（８３０）するステップを含む、前記方法。
【請求項５】
請求項１記載の方法において、拡散スペクトル通信システムが複数の地理的セルを含み、ここで分解する前記ステップが受信された通信信号とスクランブル符号の時間をシフトしたものとの相関を取り、分解された複数の信号成分を生成するステップを含む、前記方法。
【請求項６】
請求項１記載の方法において、相殺する前記ステップが：
分解された信号成分の相関を組み合わせ（８４０）、それぞれの拡散シーケンスに対するそれぞれのエネルギーを決定し；
予め定められた基準に適合する関連するエネルギーを有する第２拡散シーケンスを同定する（８５０）ステップを含む、前記方法。
【請求項７】
請求項６記載の方法において、組み合わせる前記ステップが極大比率組み合わせのステップを含む、前記方法。
【請求項８】
請求項６記載の方法において、同定する前記ステップが最も高い関連エネルギーを有する第２拡散シーケンスを同定するステップを含む、前記方法。
【請求項９】
請求項６記載の方法において、同定する前記ステップが予め定められた閾値を超える関連エネルギーを有する第２拡散シーケンスを同定するステップを含む、前記方法。
【請求項１０】
請求項６記載の方法において、相殺する前記ステップが更に：
同定された第２拡散シーケンスに基づいて送信された干渉信号用のシンボル推定値を生成し；
同定された第２拡散シーケンスに基づいて送信された干渉信号用の電力推定値を生成し；
分解された信号成分と第１拡散シーケンスとの相関のそれぞれ１つに対するそれぞれの干渉成分を、第２拡散シーケンス、第２拡散シーケンスに対するシンボル推定値および第２拡散シーケンスに対する電力推定値から決定する、以上のステップを含む前記方法。
【請求項１１】
請求項１０記載の方法において：
分解する前記ステップが：
受信された通信信号を第１シンボル周期に対する第１の複数の信号成分に分解し；
受信された通信信号を第２シンボル周期に対する第２の複数の信号成分に分解する（９３０）ステップを含み；
同定する前記ステップが第１シンボル周期に対する第２拡散シーケンスを、第１の複数の分解された信号成分から同定する（９１０）ステップを含み；
相殺する前記ステップが：
第２の複数の分解された信号成分と第１および第２拡散シーケンスとの相関を取って（９４０）、第２の分解された複数の信号成分と第１および第２拡散シーケンスとのそれぞれの相関を生成し；
第２の分解された複数の信号成分と第１拡散シーケンスとの相関から、第２の分解された複数の信号成分と第２拡散シーケンスとの相関に基づいて干渉成分を相殺し（９６０）、第２の分解された複数の信号成分と第１拡散シーケンスとの複数の干渉が相殺された相関を生成し；
推定する前記ステップが、第２シンボル周期に対する複数の分解された信号成分と第１拡散シーケンスとの干渉が相殺された相関から、第２シンボル周期に対するシンボルの推定値を生成する（９７０）ステップを含む、前記方法。
【請求項１２】
請求項６記載の方法において：
相関を取る前記ステップが第１拡散シーケンスに対する後続のシンボル周期の各々に対する分解された信号成分と拡散シーケンスの各々との相関を取るステップを含み；
同定する前記ステップが各々のシンボル周期に対する第２拡散シーケンスを同定するステップを含む、前記方法。
【請求項１３】
請求項１記載の方法において、推定する前記ステップが分解された信号成分の干渉が相殺された相関と第１拡散シーケンスとを組み合わせて送信されたシンボルの推定値を生成するステップを含む、前記方法。
【請求項１４】
請求項１３記載の方法において、組み合わせる前記ステップが極大比率組み合わせのステップを含む、前記方法。
【請求項１５】
請求項１記載の方法において：
拡散スペクトル通信システムがその中で基地局と端末とが１つのセル内で、アダマール符号の拡散シーケンスの組から選択されたセル固有スクランブル符号と端末固有拡散シーケンスに基づいて通信する符号分割多元接続（ＣＤＭＡ）通信システムを含み；
受信通信信号を複数の信号成分に分解する前記ステップが、受信された通信信号を複数の多重通路信号成分に分解するためのスクランブル符号に基づいて受信された通信信号をデスクランブルすること（８２０）を含み；
分解された複数の信号と拡散シーケンスの組との相関を取って分解された信号成分のそれぞれ１つに対する相関のそれぞれの組を生成する前記ステップが、複数の多重通路信号成分を高速アダマール変換（８３０）して複数の多重通路信号成分と拡散シーケンスの組との相関のそれぞれの組を生成し、相関の組のそれぞれ１つが多重通路信号成分と第１拡散シーケンスとのそれぞれの相関を含むようにし；
拡散シーケンスの第２拡散シーケンスに関連する干渉成分を、複数の分解された信号成分と第１拡散シーケンス成分との相関から相殺する前記ステップが、拡散シーケンスの組の第２拡散シーケンスに関連する干渉成分を、複数の多重通路信号成分と第１拡散シーケンスとの相関から、複数の多重通路信号成分と第２拡散シーケンスとの相関に基づいて相殺し（８７０）、分解された多重通路信号成分と第１拡散シーケンスとの干渉が相殺された相関の組を生成することを含み；
送信されたシンボルを干渉が相殺された相関から推定するステップが、多重通路信号成分と第１拡散シーケンスとの干渉が相殺された相関の組から送信されたシンボルを推定する（８８０）ことを含む前記方法。
【請求項１６】
請求項１５記載の方法において、シンボルが基地局から送信され、受信する前記ステップ、高速アダマール変換、相殺および推定が端末で実施される、前記方法。
【請求項１７】
請求項１５記載の方法において、相殺する前記ステップが第２拡散シーケンスを拡散シーケンスの組と多重通路信号成分との相関に基づいて同定するステップを含む、前記方法。
【請求項１８】
請求項１５記載の方法において、相殺する前記ステップが：
多重通路信号成分に対する相関を組み合わせて、それぞれの拡散シーケンスに対するそれぞれのエネルギーを決定し；
予め定められた基準に適合する関連エネルギーを有する第２拡散シーケンスを同定する、以上のステップを含む前記方法。
【請求項１９】
請求項１８記載の方法において、組み合わせる前記ステップが極大比率組み合わせのステップを含む、前記方法。
【請求項２０】
請求項１８記載の方法において、同定する前記ステップが最も高い関連エネルギーを有する第２拡散シーケンスを同定するステップを含む、前記方法。
【請求項２１】
請求項１８記載の方法において、同定する前記ステップが予め定められた閾値を超える関連エネルギーを有する第２拡散シーケンスを同定するステップを含む、前記方法。
【請求項２２】
請求項１８記載の方法において、相殺する前記ステップが更に：
同定された第２拡散シーケンスに基づいて送信された干渉信号に対するシンボル推定値を生成し；
同定された第２拡散シーケンスに基づいて送信された干渉信号に対する電力推定値を生成し；
多重通路信号成分と第１拡散シーケンスとの相関のそれぞれ１つに対するそれぞれの干渉成分を、第２拡散シーケンス、第２拡散シーケンスに対するシンボル推定値および第２拡散シーケンスに対する電力推定値から決定する、以上のステップを含む前記方法。
【請求項２３】
通信信号から受信された信号から、拡散スペクトル通信システム内のチャンネルを定義するために使用される拡散シーケンスの組の第１拡散シーケンスに基づいて拡散スペクトル通信中の通信媒体内を送信されたシンボルを復元するための装置であって：
受信された通信信号をそれぞれ１つがそれぞれの伝搬経路に関連する複数の信号成分に分解するための手段（３１０）と；
分解された複数の信号成分を拡散シーケンスの組と相関を取って、分解された信号成分のそれぞれ１つに対する相関の組を生成し、相関の組のそれぞれ１つが分解された信号成分と第１拡散シーケンスとのそれぞれの相関を含むようにするための手段（３２０）と；
拡散シーケンスの組の第２拡散シーケンスに関連する干渉成分を、複数の分解された信号成分と第１拡散シーケンスとの相関から、複数の分解された信号成分と第２拡散シーケンスとの相関に基づいて相殺し、分解された信号成分と第１拡散シーケンスとの干渉が相殺された相関の組を生成するための手段（３３０，３４０，３５０，３６０，３７０）と；
分解された信号成分と第１拡散シーケンスとの干渉が相殺された相関の組から送信されたシンボルを推定する手段（３８０，３９０）とを含む、前記装置。
【請求項２４】
請求項２３記載の装置において、相殺するための前記手段が、相関するための前記手段に応答し、干渉信号に関連する第２拡散シーケンスを拡散シーケンスの組と分解された信号成分との相関に基づいて同定するための手段（３３０，３４０）を含む、前記装置。
【請求項２５】
請求項２３記載の装置において、拡散シーケンスの組が直交する、前記装置。
【請求項２６】
請求項２５記載の装置において、拡散シーケンスの組がアダマール符号を含み、相関を取るための前記手段が複数の分解された信号成分の各々を高速アダマール変換するための手段（３２０−１，３２０−２，．．．．，３２０−Ｌ）を含む、前記装置。
【請求項２７】
請求項２３記載の装置において、拡散スペクトル通信システムが複数の地理的セルを含み、分解するための前記手段がセル固有スクランブル符号に基づいてデスクランブルし、分解された複数の信号成分を生成するための手段を含む、前記装置。
【請求項２８】
請求項２３記載の装置において、相殺するための前記手段が：
相関するための前記手段に応答し、分解された信号成分の相関を組み合わせてそれぞれの拡散シーケンスに対するそれぞれのエネルギーを決定するための手段と；
組み合わせるための前記手段に応答し、予め定められた基準に適合する関連エネルギーを有する第２拡散シーケンスを同定するための手段とを含む、前記装置。
【請求項２９】
請求項２８記載の装置において、組み合わせるための前記手段が極大比率組み合わせのための手段を含む、前記装置。
【請求項３０】
請求項２８記載の装置において、同定するための前記手段が最も高い関連エネルギーを有する第２拡散シーケンスを同定するための手段を含む、前記装置。
【請求項３１】
請求項２８記載の装置において、同定するための前記手段が予め定められた閾値を超える関連エネルギーを有する第２拡散シーケンスを同定するための手段を含む、前記装置。
【請求項３２】
請求項２８記載の装置において、相殺するための前記手段が更に：
同定するための前記手段および組み合わせるための前記手段に応じて、同定された第２拡散シーケンスに対するシンボル推定値を生成するための手段（３５０）と；
同定するための前記手段および組み合わせるための前記手段に応じて、同定された第２拡散シーケンスに対する電力推定値を生成するための手段（３６０）と；
シンボル推定値を生成するための前記手段と電力推定値を生成するための前記手段とに応じて、分解された信号成分と第１拡散シーケンスとの相関のそれぞれ１つに対するそれぞれの干渉成分を、第２拡散シーケンス、第２拡散シーケンスに対するシンボル推定値および第２拡散シーケンスに対する電力推定値から決定するための手段（３７０）とを含む、前記装置。
【請求項３３】
請求項３２記載の装置において：
分解するための前記手段が：
受信された通信信号を第１シンボル周期に対する第１の複数の信号成分に分解するための手段（３１０）と；
受信された通信信号を第２シンボル周期に対する第２の複数の信号成分に分解するための手段（３１０）とを含み；
同定するための前記手段が第１シンボル周期に対する第２拡散シーケンスを、第１の複数の分解された信号成分から同定するための手段（３２０−１，３２０−２，．．．，３２０−Ｌ，３３０，３４０）を含み；
相殺するための前記手段が：
第２の複数の分解された信号成分と第１および第２拡散シーケンスとの相関を取って、第２の分解された複数の信号成分と第１および第２拡散シーケンスとのそれぞれの相関を生成するための手段（４２０−１，４２０−２，．．．，４２０−Ｌ）と；
第２の分解された複数の信号成分と第１拡散シーケンスとの相関から、分解された第２の複数の信号成分と第２拡散シーケンスとの相関に基づいて干渉成分を相殺し、第２の分解された複数の信号成分と第１拡散シーケンスとの複数の干渉が相殺された相関を生成するための手段（４３０，４５０，４６０，３７０）とを含み；
推定するための前記手段が、第２シンボル周期に対する複数の分解された信号成分と第１拡散シーケンスとの干渉が相殺された相関から、第２シンボル周期に対するシンボルの推定値を生成するための手段を含む、前記装置。
【請求項３４】
請求項２８記載の装置において：
相関を取るための前記手段が第１拡散シーケンスに対する後続のシンボル周期の各々に対する分解された信号成分と拡散シーケンスの各々との相関を取るための手段を含み；
同定するための前記手段が各々のシンボル周期に対する第２拡散シーケンスを同定するための装置を含む、前記装置。
【請求項３５】
請求項２３記載の装置において、推定するための前記手段が分解された信号成分の干渉が相殺された相関と第１拡散シーケンスとを組み合わせて送信されたシンボルの推定値を生成するための手段を含む、前記装置。
【請求項３６】
請求項３５記載の装置において、組み合わせるための前記方法が極大比率組み合わせ用の手段を含む、前記装置。
【請求項３７】
請求項２３記載の装置において：
分解するための前記手段が、通信信号をそれぞれ１つがそれぞれの伝搬経路に関連する複数の信号成分に分解するように動作する多重通路分解器を含み；
相関を取るための前記手段が、前記多重通路分解器に応答し、分解された信号成分と拡散シーケンスの組との相関を取り、分解された信号成分のそれぞれに対する相関のそれぞれの組を生成し、相関の組のそれぞれ１つが分解された信号成分と第１拡散シーケンスとのそれぞれの相関を含むように動作する、拡散シーケンス相関器を含み；
相殺するための前記手段が、前記拡散シーケンス相関器に応答し、干渉に関連する干渉成分を拡散シーケンスの組の第２拡散シーケンスを用いて複数の分解された信号成分と第１拡散シーケンスとの相関から、複数の分解された信号成分と第２拡散シーケンスとの相関に基づいて相殺し、分解された信号成分と第１拡散シーケンスとの干渉が相殺された相関の組を生成する様に動作する干渉相殺器を含み；
推定するための前記手段が、前記干渉相殺器に応答し、送信されたシンボルを分解された信号成分と第１拡散シーケンスとの干渉が相殺された相関の組から推定するように動作する、シンボル推定器とを含むことを特徴とする、前記装置。
【請求項３８】
請求項３７記載の装置において、拡散シーケンスの組が直交する、前記装置。
【請求項３９】
請求項３８記載の装置において、拡散シーケンスの組がアダマール符号を含み、また前記拡散シーケンス相関器が高速アダマール変換器を含む、前記装置。
【請求項４０】
請求項３７記載の装置において、前記多重通路分解器がデスクランブラを含む、前記装置。
【請求項４１】
請求項３７記載の装置において、前記干渉相殺器が第２拡散シーケンスを拡散シーケンスの組と分解された信号成分との相関に基づいて同定するための手段を含む、前記装置。
【請求項４２】
請求項３７記載の装置において、前記干渉相殺器が：
分解された信号成分に対する相関を組み合わせて、それぞれの拡散シーケンスに対するそれぞれのエネルギーを決定するように動作する極大比率組み合わせ器と；
前記極大比率組み合わせ器に応答し、予め定められた基準に適合する関連エネルギーを有する第２拡散シーケンスを同定するための手段とを含む、前記装置。
【請求項４３】
請求項４２記載の装置において、同定するための前記手段が最も高い関連エネルギーを有する第２拡散シーケンスを同定するための手段を含む、前記装置。
【請求項４４】
請求項４２記載の装置において、同定するための前記手段が予め定められた閾値を超える関連エネルギーを有する第２拡散シーケンスを同定するための手段を含む、前記装置。
【請求項４５】
請求項４２記載の装置において、前記干渉相殺器が：
前記極大比率組み合わせ器と同定するための前記手段とに応答し、同定された第２拡散シーケンスに基づいて送信された干渉信号に対するシンボル推定値を生成するように動作する、シンボル推定器と；
前記極大比率組み合わせ器と同定するための前記手段とに応答し、同定された第２拡散シーケンスに基づいて送信された干渉信号に対する電力推定値を生成するように動作する、電力推定器と；
前記シンボル推定器と前記電力推定器とに応答し、分解された信号成分と第１拡散シーケンスとの相関のそれぞれ１つに対するそれぞれの干渉成分を、第２拡散シーケンス、第２拡散シーケンスに対するシンボル推定値および第２拡散シーケンスに対する電力推定値から決定するための手段とを含む、前記装置。
【請求項４６】
請求項２３記載の装置において：
拡散スペクトル通信システムが、その中で基地局と端末とが１つのセル内で、アダマール符号の拡散シーケンスの組のセル固有スクランブル符号と端末固有拡散シーケンスに基づいて通信する符号分割多元接続（ＣＤＭＡ）通信システムを含み：
分解するための前記手段が、受信された通信信号を複数の伝搬経路信号成分に分解するように動作するためのデスクセンブル器を含み；
相関を取るための前記手段が、前記デスクランブル器に応答し、複数の多重通路信号成分と拡散シーケンスとの相関のそれぞれの組を生成し、相関の組のそれぞれ１つが多重通路信号成分と第１拡散シーケンスとのそれぞれの相関を含むように動作する、複数の高速アダマール変換器を含み；
相殺するための前記手段が、前記複数の高速アダマール変換器に応答し、拡散シーケンスの組の第２拡散シーケンスに関連する干渉成分を、複数の分解された信号成分と第１拡散シーケンスの相関から、複数の多重通路信号成分と第２拡散シーケンスとの相関に基づいて相殺し、分解された多重通路信号成分と第１拡散シーケンスとの干渉が相殺された相関の組を生成するように動作する干渉相殺器を含み；
推定するための前記手段が、前記干渉相殺器に応答し送信されたシンボルを分解された信号成分と第１拡散シーケンスとの干渉が相殺された相関の組から推定するように動作するシンボル推定器とを含む前記装置。
【請求項４７】
請求項４６記載の装置において、前記干渉相殺器が第２拡散シーケンスを、拡散シーケンスの組と多重通路信号成分との相関に基づいて同定するための手段を含む、前記装置。
【請求項４８】
請求項４６記載の装置において、前記干渉相殺器が：
前記複数の高速アダマール変換器に応答し、多重通路信号成分に対する相関の組を組み合わせて拡散シーケンスに対するそれぞれのエネルギーを決定するように動作する極大比率組み合わせ器と；
前記極大比率組み合わせ器に応答し、予め定められた基準に適合するエネルギーを有する第２拡散シーケンスを同定するための手段とを含む、前記装置。
【請求項４９】
請求項４７記載の装置において、同定するための前記手段が最も高い関連エネルギーを有する第２拡散シーケンスを同定するための手段を含む、前記装置。
【請求項５０】
請求項４７記載の装置において、同定するための前記手段が予め定められた閾値を超える関連エネルギーを有する第２拡散シーケンスを同定するための手段を含む、前記装置。
【請求項５１】
請求項４７記載の装置において、前記干渉相殺器が更に：
前記極大比率組み合わせ器と同定するための前記手段とに応答し、同定された第２拡散シーケンスに基づいて送信される干渉信号に対するシンボル推定値を生成するための手段と；
前記極大比率組み合わせ器と同定するための前記手段とに応答し、同定された第２拡散シーケンスに基づいて送信される干渉信号に対する電力推定値を生成するための手段と；
シンボル推定値を生成するための前記手段と電力推定値を生成するための前記手段とに応答し、多重通路信号成分と第１拡散シーケンスとの相関のそれぞれ１つに対するそれぞれの干渉成分を、第２拡散シーケンス、第２拡散シーケンスに対するシンボル推定値および第２拡散シーケンスに対する電力推定値から決定するための手段とを含む、前記装置。
【発明の詳細な説明】
【０００１】
（技術分野）
本発明は通信システムおよび方法に係わり、更に詳細には拡散スペクトル通信システムおよび方法に関する。
【０００２】
（背景技術）
無線通信システムは音声およびデータ通信を加入者に提供するために一般的に採用されている。例えば、ＡＭＰＳ，ＥＴＡＣＳ，ＮＭＴ−４５０，およびＮＭＴ−９００の様なアナログ式セルラ無線電話システムが長年に渡って世界中で成功裏に開発されてきている。北米規格ＩＳ−５４および欧州規格ＧＳＭに適合するようなディジタル式セルラ無線電話システムが１９９０年代の初頭からサービスされている。更に最近、多くの種類の広くＰＣＳ（個人通信サービス：Personal Communication Service）と呼ばれる無線ディジタルサービスが導入されており、ギブソン（Gibson）編、ＣＲＣ紙（Press）から出版された「移動体通信ハンドブック」（１９９６年）に記述されるように、ＩＳ−１３６およびＩＳ−９５規格に適合する高度ディジタルセルラシステム、ＤＥＣＴ（ディジタル式強化型コードレス電話機）の様な低電力システムおよびＣＤＰＤ（セルラディジタル式パケットデータ）の様なデータ通信を含む。提案されている広帯域符号分割多元接続（Ｗ−ＣＤＭＡ）の様な技術を用いた次世代システムは広い範囲のマルチメディアサービスを提供するであろう。
【０００３】
図１は典型的な地上セルラ無線電話通信システム２０を図示する。セルラ無線電話システム２０は１つまたは複数の無線電話機（端末）２２を含み、これは基地局２６および移動電話交換局（ＭＴＳＯ：mobile telephone switching office）２８でサービスされている複数のセル２４と通信している。図１にはたった３つのセル２４しか図示されていないが、典型的なセルラネットワークは数百のセルを含み、複数のＭＴＳＯを含みまた数千の無線電話機を含むはずである。
【０００４】
セル２４は一般的に通信システム２０内でノードとして機能し、そこからリンクが無線電話機２２とＭＴＳＯ２８との間で確立され、これはセル２４をサービスしている基地局２６により行われる。セルラネットワーク２０を通して、二重無線通信リンクが２台の移動端末２２または移動端末２２と陸上電話機使用者３２の間で公衆電話交換網（ＰＳＴＮ）３４を通して確立される。基地局２６の機能はセル２４と移動端末２２との間の無線通信を取り扱うことである。この点で基地局２６はデータ及び音声信号に対する中継局として機能する。
【０００５】
図２に図示されるように、衛星４２が従来型地上基地局で実行されるものと同様な機能を実施するように採用されており、例えば人口過疎地域または岩だらけの形状を持つ地域で従来型陸上電話機または地上セルラ電話機施設が技術的または経済的に実際的で無い地域をサービスしている。衛星無線電話システム４０は典型的に１台または複数の衛星４２を含み、これは１つまたは複数の地上局４４および端末２３との間の中継器またはトランスポンダとして働く。衛星は無線電話通信を二重リンク４６を介して端末２３および地上局４４に搬送する。地上局４４は続いて公衆電話交換網３４に接続され、衛星無線電話機間の通信、および衛星無線電話機と従来型地上セルラ無線電話機または陸上電話機との間の通信を可能とする。衛星無線電話システム４０はこのシステムでサービスされる全領域をカバーする単一アンテナビームを使用するか、または図示されるように衛星は多元最小重複ビーム４８を生成し、各々がシステムのサービス領域内の個別の地理的カバー領域５０をサービスするように設計されている。カバー領域５０は図１の地上セルラシステム２０のセル２４と同様の機能を提供する。
【０００６】
伝統的アナログセルラシステムは一般的に周波数分割多元接続（ＦＤＭＡ）を使用して通信チャンネルを生成している。しかしながら、無線サービス使用者数およびデータおよびその他の非音声サービスのすさまじい増加は、利用可能なスペクトルを更に効率的に利用できる他の技術の開発をもたらした。これらの更に進んだ技術は時分割多元接続（ＴＤＭＡ）を含み、この中で複数使用者からの通信は周波数帯域上でシステムが定義した時間「スロット」内に時間マルチプレクスされ、また「拡散スペクトル」または符号分割多元接続（ＣＤＭＡ）技術ではシステムのチャンネルがユニークな拡散符号、すなわちデータ変調搬送波を通信システムが動作している周波数スペクトルに渡って拡散させる符号、でデータ変調搬送波信号を変調することにより定義される。チャンネルに対してユニークな拡散符号を使用することで、複数の使用者が同一帯域幅を効果的に共有することを可能とする。
【０００７】
ＵＭＴＳ／ＩＭＴ−２０００仕様に適合するＷ−ＣＤＭＡシステムの様な、提案されている広帯域ＣＤＭＡでは、１つのセル内の異なるチャンネル用のダウンリンク（基地局から加入者端末）信号は基地局によりそのセル固有のスクランブル符号を用いて同期的に送信される。典型的に、直交チャンネル化符号またはシーケンス、また拡散符号として知られているものが、セル内で送信される個別の物理チャンネルに割り当てられていて、そのセル内で直交ダウンリンク信号を生成する。その中で信号が送信されている通信媒体が遅延拡散を含まない場合、この直交性が受信端末でも維持され、複数使用者（使用者間）干渉の生じる可能性を削減する。しかしながらその中で信号が送信されている通信媒体が遅延拡散を含む場合、直交性は受信端末では維持されないであろう。これは複数使用者干渉を増大させ、性能を低下させかねない。
【０００８】
いわゆる「近−遠」問題、すなわち受信局で弱い希望する信号が強い干渉信号と共に受信されるとき、が存在すると性能は著しく低下する。基地局への典型的なアップリンクでは、この問題は電力制御技術、例えば希望する信号を増強してその基地局に到着する全ての信号をほぼ同一電力とすることにより処理される。しかしながら、このような電力制御は加入者端末へのダウンリンクでは通常は実際的ではない。
【０００９】
広帯域周波数上で送信される信号は、一般的に狭帯域幅上で送信される信号よりも多くのマルチパス信号成分を生成することが知られている。従って、例えば広帯域ＣＤＭＡシステム内のチャンネルは一般的に、ＩＳ−９５  ＣＤＭＡ規格に適合するシステムの様な狭帯域幅システム内のチャンネルよりもより大きなダイバーシティ性を示す。結果としてＷ−ＣＤＭＡシステムは一般的にこれらより先行する狭帯域幅よりも複数使用者干渉を引き起こす可能性が高い。
【００１０】
更に提案されている、可変拡散係数を使用して使用者が可変データ速度を得られるようにしているＷ−ＣＤＭＡシステムは更に複数使用者干渉の影響を受け易いはずである。例えば提案されているＷ−ＣＤＭＡシステムは高い拡散係数（１２８程度）を音声チャンネルに使用し、低い拡散係数を高速データサービスに使用することを考えている。その様な音声およびデータサービスが同等のリンク品質、すなわち同等な端末間使用者データ信頼性を示すように設計されている場合、低拡散係数信号は一般的に高拡散係数信号よりもかなり高い電力で送信されるはずである。この電力の不一致は伝搬媒体内で複数使用者干渉を悪化させるであろう。
【００１１】
高および低拡散符号の並列使用を可能とする可変拡散係数技法はまた「近−遠」問題をも悪化させうる。例えば、低拡散係数および高電力で送信するセルの縁部近くに配置されている使用者は、その受信端末のより近くに位置している高拡散係数低電力使用者の受信端末に対して著しい干渉を与える。加えて、低拡散係数を具備した信号は比較的低い電力干渉信号で劣化されるが、それは低拡散係数が一般的に高拡散係数を使用した信号よりも希望する信号を干渉抑制し難くする傾向が有るためである。
【００１２】
干渉相殺技術が提案されてきている。例えば、公開されている欧州特許明細書
第ＥＰ０  ７１７  ５０５  Ａ２号は、ＣＤＭＡ多重使用者直交化技術を記載しており、その中でセル内で現在使用されている拡散シーケンスの先見的知識を具備する受信機は、デスプレッド信号の直交化をデスプレッド信号間の相互相関に基づいて実施する。公開された国際特許明細書第ＷＯ９７／０８８４６号は、引き算式干渉相殺技術を記載しており、その中で受信信号内に存在するはずの拡散シーケンスに対応する推定された干渉波形が、デスクランブルされた信号成分から引き算され、結果として残った信号に対してチャンネル（ウォルシュ・アダマール）符号復調が行われる。公開された国際特許明細書第ＷＯ９８／１８２１０号は、１つの技術を記載しており、その中で複数の干渉相殺プリミティブが、干渉推定値信号を生成するために用意されており、これがいくつかの経路を伝搬された狭帯域合成信号から引き算される。これらおよびその他の従来型干渉相殺技術はまた複雑そして／または使用中拡散符号の先見的知識を必要とするので、これは結果として機器コストおよび電力消費を増加させる可能性があり、これはバッテリーで動作する携帯型端末のような装置では欠点となる。
【００１３】
（発明の概要）
上記に鑑み、拡散スペクトル通信システム内で複数使用者干渉を低減できる通信装置および方法を提供することは本発明の１つの目的である。
【００１４】
可変拡散係数を使用したシステム内で複数使用者干渉を低減できる通信装置および方法を提供することは本発明の別の目的である。
【００１５】
従来型技術よりも複雑さと電力消費が少なく実現できる複数使用者干渉を相殺するための通信装置および方法を提供することは本発明の更に別の目的である。
【００１６】
これらおよびその他の目的、特徴および長所は本発明に基づき拡散スペクトル通信システムおよび方法により提供され、此処で受信信号のマルチパス信号成分は希望するシーケンスを含む考えられる拡散シーケンスの組と、好適に高速アダマール変換を使用して相関をとられる。結果的に得られた相関は１つまたは複数の干渉シーケンスを検出するために組み合わされ、また検出された干渉シーケンスに関連する干渉成分は希望するシーケンスと相関を取ることで相殺され、干渉が相殺された相関が生成される。シンボル推定は干渉が相殺された相関から生成される。干渉シーケンスの検出は高速アダマール変換で生成された相関の極大比率組み合わせ、また１つまたは複数の干渉シーケンスをその干渉シーケンスに関連するエネルギーが閾値または最隣接規則の様な予め定められた判断基準に合致するかを同定して行われる。干渉シーケンスの同定はシンボル毎に行われるかまたは、固定拡散係数システムでは、干渉シーケンスは間欠的に識別される、すなわち選択されたシンボル周期で、その他のシンボル周期内の識別されたシーケンスに対して簡略化された相関が実施されて干渉成分推定が生成される。従って干渉相関技術が従来技術に比較してより複雑ではなくまた電力消費も少なく提供される。
【００１７】
特に、本発明によれば１つのシンボルは通信媒体内を、シンボルをそのシステム内で送信するために使用される拡散シーケンスの組の第１拡散シーケンスに基づいて送信される。通信信号は通信媒体から、例えば移動端末で受信される。受信された通信信号は複数の信号成分に分解され、その各々１つはそれぞれの伝搬経路に関連している。例えば、分解された信号成分は受信信号をセル固有スクランブル符号でデスクランブルして生成される。分解された複数の信号成分は拡散シーケンスの組と相関を取られ、分解された信号成分のそれぞれ１つに対する相関のそれぞれの組が生成され、相関の組のそれぞれ１つは、分解された信号成分と第１拡散シーケンスとのそれぞれの相関を含む。この拡散シーケンスの組の第２拡散シーケンスに関連する干渉成分、分解された信号成分と考えられる拡散シーケンスの相関に基づいて同定されたこの干渉成分は、複数の分解された信号成分と第１拡散シーケンスとの相関から相殺され、分解された信号成分と第１拡散シーケンスとの干渉が相殺された相関の組を生成する。送信されたシンボルは干渉が相殺された相関の組から推定される。
【００１８】
好適に、拡散シーケンスの組は直交である。更に好適に、この拡散シーケンスの組はアダマール符号を含み、考えられる拡散シーケンスの組と分解された信号成分との相関は高速アダマール変換を使用して生成される。
【００１９】
本発明の１つの特徴によれば、干渉相殺は分解された信号成分に対する相関を組み合わせ、それぞれの拡散シーケンスに対するそれぞれのエネルギーを決定し、予め定められた判断基準に適合する関連したエネルギーを有する干渉拡散シーケンスを同定することで実現される。この組み合わせは、例えば極大比率組み合わせ技術、または干渉拒絶組み合わせ（IRC：Interference Rejection Combining）の様なその他の組み合わせ技術を用いて実施される。予め定められた判断基準は、例えば最大エネルギー基準または閾値基準である。
【００２０】
本発明の別の特徴によれば、シンボルおよび電力推定は１つまたは複数の同定されたシーケンスに基づいて送信された１つまたは複数の信号に関して生成され、干渉成分はそのシンボルおよび電力推定から決定される。シンボルおよび電力推定は組み合わせ過程の出力から生成される。
【００２１】
固定拡散係数符号を用いたシステムで使用するのに好適な本発明の更に別の特徴によれば、干渉シーケンスは間欠方式で同定されて、その合間の時間周期中の干渉成分の推定値を生成するために使用される。言葉を代えると、干渉シーケンスは希望するシーケンスの第１シンボル周期に対して検出され、希望する信号の後続の第２シンボル周期中の対応する干渉成分の推定値を生成するために使用される。
【００２２】
通信信号からシンボルを復元するための装置は、通信信号を複数の信号成分に分解するように動作する多重通路分解装置を含み、そのそれぞれ１つはそれぞれの伝搬経路に関係する。拡散シーケンス相関器は多重通路分解装置に応答し、分解された信号成分を拡散シーケンスの組と相関を取って、分解された信号成分のそれぞれ１つに対する相関のそれぞれの組を生成するように動作し、相関の組のそれぞれ１つは分解された信号成分と第１拡散シーケンスとのそれぞれの相関を含む。干渉相殺器は拡散シーケンス相関器に応答し、１つの干渉に関連する干渉成分を、拡散シーケンスの組の第２拡散シーケンスを使用して、複数の分解された信号成分と第１拡散シーケンスの相関から、複数の分解された信号成分と第２拡散シーケンスとの相関に基づいて相殺するように動作し、これにより分解された信号成分と第１拡散シーケンスとの干渉が相殺された相関の組が生成される。シンボル推定器は干渉相殺器に応答し、送信されたシンボルを分解された信号成分と第１拡散シーケンスとの干渉が相殺された相関の組から推定する。改善された拡散スペクトル通信がこれにより提供される。
【００２３】
（実施例の詳細な説明）
次に本発明の実施例を示す添付図を参照して、本発明を更に完全に説明する。しかしながら本発明は多数の異なる形式で実施する事が可能であり、此処に示される実施例に制限すると解釈されるべきではない；むしろ、これらの実施例はこの開示が全体的で完全なものとなり、当業者に本発明の範囲が完全に理解されることを意図して提供されている。全体を通して同様の番号は同様の構成要素を参照している。
【００２４】
始めに、拡散スペクトル信号の分析を提示する。この分析は特に無線セルラシステム内の拡散スペクトル技術のアプリケーションに関係しており、この中で指定されたセル内で送信される信号は使用者固有チャンネル化シーケンスおよびセル固有拡散シーケンスを含むシーケンス（または符号）の組み合わせを用いて拡散されている。しかしながら当業者には理解されるように、以下の説明はまたその他の拡散スペクトルシステムにも適用可能である。
【００２５】
ｓk(t)はチャンネル化シーケンスｃkを適用した後で、スクランブル前に生成された拡散スペクトル信号を表すものとする：
【００２６】
【数１】
0004263368.tif 000002
此処で
0004263368.tif 000003
は第ｋ番目使用者に対する第ｉ番目データシンボルを示し、ｃk(t)は第ｋ番目使用者に対する拡散シーケンス波形を示し、Ｎは拡散係数を表しそしてＴcはチップ間隔を表す。拡散シーケンス波形ｃk(t)は次のように与えられる：
【００２７】
【数２】
0004263368.tif 000004
此処で
0004263368.tif 000005
はチップ間隔Ｔcの矩形パルスを示し、
0004263368.tif 000006
は第ｋ番目使用者に対する拡散シーケンスの第ｉ番目チップを示す。
【００２８】
チャンネル化拡散シーケンス波形が直交する場合：
【００２９】
【数３】
0004263368.tif 000007
【００３０】
スクランブルシーケンスａ(t)は次のように与えられる：
【００３１】
【数４】
0004263368.tif 000008
此処でａiは拡散シーケンスの第ｉ番目チップである。スクランブル符号ａiをＫ使用者信号ｓk(t)に適用することで合成信号ｘ(t)が生成される：
【００３２】
【数５】
0004263368.tif 000009
此処でＰkは第ｋ番目使用者信号ｓk(t)に関する送信電力である。
【００３３】
チャンネルのインパルス応答は次のように表される：
【００３４】
【数６】
0004263368.tif 000010
此処でＬは多重通路（伝搬経路）の数を表し、αlおよびτlは第ｌ番目経路に対する減衰係数および遅延を表す。
【００３５】
次に受信信号ｒ(t)は次のように与えられる：
【００３６】
【数７】
0004263368.tif 000011
此処でｎ(t)は他のセル（別のスクランブルシーケンスを採用している使用者）からの多重使用者干渉と熱雑音を含む雑音成分を示し、このセル相互干渉および熱雑音がガウス分布を有するランダム過程としてモデル化されるからである。
【００３７】
典型的な従来型拡散スペクトルＣＤＭＡ受信機は複数のＬフィンガーまたはブランチを含む。理解されるようにフィンガーＬの数は当業者には知られている多くの異なる方法で決定され、またその様な技術の詳細な説明は本発明を理解するためには不要である。ブランチの１つを受信すると、受信信号ｒ(t)はスクランブル符号の組み合わせを時間シフトしたものとその受信機に対する拡散符号と相関を取られる。その様な受信機の第１番目フィンガーから生成される第１番目使用者に対する相関ｚlは次のように表される：
【００３８】
【数８】
0004263368.tif 000012
此処で * は複素共役を示す。相関ｚllは信号成分ｚll,s、シンボル相互間干渉成分ｚll,lsl、多重使用者干渉成分ｚll,MUI、および雑音成分ｚll,nを含むものとして見直される。
【００３９】
Ｋ−１干渉から生じる第１番目使用者に対する多重使用者干渉成分ｚll,MUI、は次のように表される：
【００４０】
【数９】
0004263368.tif 000013
または
【００４１】
【数１０】
0004263368.tif 000014
拡散係数Ｎとチップ間隔Ｔcの積ＮＴcが第Ｌ番目多重通路信号の遅延τLよりも十分に大きいと仮定すると、多重使用者干渉成分ｚll,MUI、は次のように近似できる：
【００４２】
【数１１】
0004263368.tif 000015
第１番目使用者の第ｉ番目フィンガーに対して一般化すると：
【００４３】
【数１２】
0004263368.tif 000016
従って、拡散符号ｃk(t),k=2,3,...,Ｋ、データシンボル
0004263368.tif 000017
および電力レベルＰ2,...,ＰKが既知の場合、多重使用者干渉成分ｚll,MUI、は計算可能であり相殺される。
【００４４】
本発明の特徴によれば、通信システム内の移動端末の様な１つの局で受信された信号ｒ(t)は、最初に複数の多重通路信号成分に分解され、これは例えばデスクランブル、複数の空間的または極ダイバースアンテナ、または同様のもので行われる。これらの分解された成分の各々は、次にその様な局に信号を送信するために使用されるＮ個の考えられる拡散シーケンス、例えばＣＤＭＡシステムの１つのセル内の移動端末へのダウンリンク通信で使用される考えられるチャンネル化拡散シーケンスの各々と相関を取られる。結果として得られた相関は続いて、例えば極大比率組み合わせ技術を用いて組み合わされ、考えられる拡散シーケンスの各々に関係するエネルギーが決定される。このエネルギーは選択されたシーケンス、更に詳細には希望する拡散シーケンスを用いて送信された希望する信号ともっとも干渉を起こす可能性のある外来信号で使用されるシーケンスを同定するために使用できる。シンボルおよび電力推定値が続いて選択された拡散シーケンスに対して生成される。これらのシンボルおよび電力推定値は、受信信号と希望する拡散シーケンスとの相関の中から干渉成分を相殺するために使用される。干渉が相殺された相関は次にシンボル推定値を生成するために組み合わされる。好適にＮ個の拡散シーケンスはアダマール符号を表し、分解された多重通路信号成分と受信機の各々のフィンガー内のＮシーケンスとの相関を生成するために高速アダマール変換（ＦＨＴ）技術を用いて得られる計算効率を増加させることが可能である。
【００４５】
（受信機アーキテクチャの例）
図３は本発明の１つの実施例に基づく受信機装置３００を図示し、複数のＮ個の考えられる拡散シーケンスの拡散シーケンスに基づいて通信媒体内で送信されたシンボルを復元するためのものである。受信信号ｒ(t)は複数の多重通路信号成分に多重通路分解装置３１０で分解され、これは例えばデスクランブル器であって受信信号をスクランブルシーケンスａ(t)を時間的にシフトしたものと相関をとり、それぞれ１つが伝搬経路と関連する複数のＬ個の分解された信号成分３１５−１，．．．、３１５−Ｌを生成する。分解された信号成分３１５−１，．．．、３１５−Ｌの各々は次にＮ個の考えられるシーケンスと相関器３２０で相関を取られ、この相関器は複数の相関ｚ11〜ｚLNを生成するためのＮ個の相関器３２０−１，．．．、３２０−Ｌを含む。相関ｚ11〜ｚLNは多重通路信号成分と希望するｋ番目シーケンスとの相関ｚk1〜ｚkLを含む。
【００４６】
好適に、Ｎ個の拡散シーケンスは直交である。更に詳細には、拡散シーケンスの組はアダマール符号を含み、相関器３２０−１，．．．、３２０−Ｌは複数のアダマール変換器を含み、これはアダマール符号の対称性を利用して計算の複雑さを低減している。高速アダマール変換はテキスト名称「拡散スペクトル通信入門」、プレンティス・ホール（Prentice Hall）発行（１９９５年）、５４４−５４５ページに記載されている。しかしながら当業者は理解されるように、本発明は拡散シーケンスの組が非直交の場合もまた使用できる；例えば本発明は拡散シーケンスが「疑似直交」、すなわちその組のシーケンスが互いに最小相関を示す場合も好適に適用出来る。
【００４７】
相関ｚ11〜ｚLNは組み合わせ器３３０、例えば極大比率またはその他の組み合わせ器で組み合わされ、拡散シーケンスのそれぞれ１つに関連する受信信号ｒ(t)の信号成分のそれぞれのエネルギーを決定する。シーケンス検出器３４０は組み合わせ器３３０に応答し、受信信号ｒ(t)内の多重使用者干渉に関係する１つまたは複数の拡散シーケンス（希望するｋ番目拡散シーケンス以外）を同定する。例えば、シーケンス検出器３４０は予め定められた閾値を超えるエネルギーを有する拡散シーケンスの組を識別する。これに代わって、シーケンス検出器３４０はもっとも高い関連エネルギーを有する符号の組を識別する事も可能であり、すなわちシーケンス検出器３４０は「最隣接」原理で動作し、多重使用者干渉にもっとも寄与する可能性のある信号に関連したシーケンスを選択するように動作することも可能である。
【００４８】
同業者は理解されるように、組み合わせ器３３０は極大比率組み合わせ以外の別の技術を使用することも可能である。例えば、ハード判定組み合わせ技術を使用することも可能である；しかしながらその様な技術は最も望ましいわけではなく、何故ならば干渉相殺で必要なエネルギー推定を提供しないからである。例えば、ボトムレイ（Bottomley）その他著「適応配列およびＭＬＳＥ等値化」、第４５回ＩＥＥＥ  Ｖｅｈ．技術会議（イリノイ州シカゴ、１９９５年７月２５−２８）論文集、に記載されているような干渉拒絶組み合わせ（ＩＲＣ：Interference rejection combining）技術もまた使用可能である。
【００４９】
シンボル推定器３５０および電力推定器３６０は組み合わせ器３３０およびシーケンス検出器３４０に応答する。シンボル推定器３５０はシーケンス検出器３４０で同定された１つまたは複数のシーケンスに基づき送信された干渉信号に対するシンボル推定値を生成する。電力推定器３６０は干渉信号に対する電力推定値を生成し、推定値は組み合わせ器３３０で決定されるエネルギーから直接生成することが可能である。
【００５０】
シーケンス検出器３４０で同定されたシーケンスは、シンボル推定器３５０および電力推定器３６０で生成されたシンボル推定値および電力推定値と共に、干渉相殺装置３７０へ提供される。干渉相殺装置３７０は第ｋ番目拡散シーケンスの相関ｚk1〜ｚKL内の干渉成分および多重通路信号成分３１５−１，．．．、３１５−Ｌを相殺し、干渉が相殺された相関ｚ'k1〜ｚ'KLを生成する。干渉が相殺された相関ｚ'k1〜ｚ'KLは続いて極大比率組み合わせ器３８０の中で組み合わされ、これは第ｋ番目拡散符号に基づいて送信されたシンボルを推定するためのシンボル推定器３９０（または判定装置）で使用される出力（例えばソフト情報出力）を生成する。
【００５１】
当業者には理解されるであろうが、デスクランブル器３１０、相関器３２０、組み合わせ器３３０、シーケンス検出器３４０、シンボル推定器３５０、電力推定器３６０、干渉相殺装置３７０、組み合わせ器３８０およびシンボル推定器３９０は種々のハードウェアそして／またはソフトウェアを用いて実現できる。例えば、これらの構成要素は例えば特定用途集積回路（ＡＳＩＣ）またはフィールドプログラム可能ゲートアレイ（ＦＰＧＡ）の様な特定用途ハードウェア、マイクロプロセッサまたはディジタル信号処理（ＤＳＰ）チップの様な汎用または特定用途計算装置上で動作するソフトウェアそして／またはファームウェア、またはそれらの組み合わせを用いて実現できる。
【００５２】
固定拡散係数を使用する拡散スペクトル通信システム内で使用するのに適した、本発明に基づく第２の実施例が図４に図示されている。受信装置４００はデスクランブル器３１０を含み、これは複数の高速アダマール変換器３２０−１，．．．、３２０−Ｌに結合されていてこれは複数の相関ｚ11〜ｚLNを生成する。相関ｚ11〜ｚLNは極大比率組み合わせ器３３０内で組み合わされ、シーケンス検出器３４０は干渉使用者に関連するＭ個（１つまたは複数）の拡散シーケンスを同定する。同定されたシーケンスは少ない数の相関器４２０−１，．．．、４２０−Ｌバンクに供給され、これらは希望するｋ番目シーケンスおよびＭ個の同定された干渉シーケンスとデスクランブル器３１０で生成された多重通路信号成分との相関を生成する。
【００５３】
干渉シーケンスに関連する信号に対するシンボルおよび電力推定値は極大比率組み合わせ器４３０、シンボル推定器４５０および電力推定器４６０で生成される。電力およびシンボル推定値は干渉相殺装置３７０に供給され、これは第ｋ番目拡散シーケンスとデスクランブル器３１０で生成された多重通路信号成分との干渉が相殺された相関ｚ'k1〜ｚ'kLを生成する。極大比率組み合わせ器３８０およびシンボル推定器３９０は干渉が相殺された相関ｚ'k1〜ｚ'kLからシンボル推定値を生成する。
【００５４】
当業者には理解されるであろうが、図４の構成は例えばＩＳ−９５規格に適合するシステムの様な、固定拡散係数を採用した拡散スペクトルシステム内での干渉相殺に適している。干渉シーケンスは選択されたシンボル周期で同定され、その同定されたシーケンスはその合間のシンボル周期で干渉相殺を実行するために使用される。図４の構成は同定される干渉が少ない場合に更に適しており、相関器４２０−１，．．．、４２０−Ｌの複雑さが最小化される。
【００５５】
図３の装置３００と同様、当業者は図４の装置４００の構成部品は種々の既知のハードウェアそして／またはソフトウェアを使用して実現できることを理解されるであろう。例えば、これらの構成要素は特定用途集積回路（ＡＳＩＣ）またはフィールドプログラム可能ゲートアレイ（ＦＰＧＡ）の様な特定用途ハードウェア、マイクロプロセッサまたはディジタル信号処理（ＤＳＰ）チップの様な汎用または特定用途計算装置上で動作するソフトウェアそして／またはファームウェア、またはそれらの組み合わせを用いて実現できる。
【００５６】
図５は拡散シーケンスの組の選択された拡散シーケンスに基づき通信媒体内を送信されたシンボルを推定するための動作例５００を図示する。通信信号が受信される（ブロック５１０）。受信された通信信号は複数の多重通路信号成分に、例えばセル固有スクランブル符号に基づくデスクランブル、または複数の空間的ダイバースアンテナでの受信の様な技術によって分解される（ブロック５２０）。多重通路信号成分は続いて拡散シーケンスの組と相関を取られる（ブロック５３０）。それぞれの干渉成分が選択された拡散シーケンスと多重通路信号成分との相関から、多重通路信号成分と１つまたは複数の干渉拡散シーケンスとの相関に基づいて相殺され、選択された拡散シーケンスと多重通路信号成分との干渉が相殺された相関を生成する（ブロック５４０）。続いてシンボル推定値が、干渉が相殺された相関から生成される（ブロック５５０）。
【００５７】
Ｗ−ＣＤＭＡでは、種々の拡散係数が使用されて種々のシンボル速度が提供される。典型的に直交可変拡散係数（ＯＶＳＦ：orthogonal variable spreading factor）符号が使用される。ＯＶＳＦ方式では、シーケンスは「符号ツリー」から割り当てられ、これは図６に図示されるように直交性を維持するために現在割り当てられているシーケンスからルートシーケンスまでに存在するシーケンスが使用されない様な規則に基づいて行われる。
【００５８】
図７は３つの異なる使用者への波形例を図示し、それぞれ拡散係数（ＳＦ）１６，８および４を使用している。これらの信号はデスクランブルで使用される拡散係数に無関係に直交していることが分かる。使用者１が希望する信号と仮定すると、第１シンボル
0004263368.tif 000018
に対して、使用者２はＳＦ＝１６拡散シーケンス（1,1,1,1,-1,-1,-1,-1,1,1,1,1,-1,-1,-1,-1）を使用するように見えて、これは使用者２で使用される２つの拡散符号の連結を表す。しかしながら使用者１に対する第２シンボル
0004263368.tif 000019
に対して、使用者２にはデータシンボル−１を具備した、ＳＦ＝１６拡散シーケンス（1,1,1,1,-1,-1,-1,-1,-1,-1,-1,-1,1,1,1,1）を使用するように見える。言葉を代えると、干渉使用者（使用者２および使用者３）は実際は使用者１よりもより小さな拡散係数シーケンスを採用しているが、それらは使用者１と同一拡散係数の拡散シーケンスを使用し、使用者１の信号のシンボル周期からシンボル周期で変化するように見ることが出来、この変化は干渉使用者の実際のデータシンボル
0004263368.tif 000020
に依存している。
【００５９】
従って、可変拡散係数の場合に干渉相殺を実施するためには、希望する信号の各々のシンボル周期に対して干渉拡散符号の新たな組が生成されなければならない。Ｎ，Ｎ／２およびＮ／３がそれぞれ使用者１、２および３用の拡散係数を示すものとする：
【００６０】
【数１３】
0004263368.tif 000021
【００６１】
【数１４】
0004263368.tif 000022
【００６２】
【数１５】
0004263368.tif 000023
【００６３】
使用者２に対する信号ｓ2(t)は次のように書ける：
【００６４】
【数１６】
0004263368.tif 000024
此処で
【００６５】
【数１７】
0004263368.tif 000025
0004263368.tif 000026
は使用者１の第ｉ番目シンボルに対する使用者２に対する有効拡散波形である：
【００６６】
【数１８】
0004263368.tif 000027
同様に、使用者３に対して：
【００６７】
【数１９】
0004263368.tif 000028
【００６８】
【数２０】
0004263368.tif 000029
【００６９】
【数２１】
0004263368.tif 000030
干渉使用者の有効拡散シーケンスを検出した後、多重使用者干渉は次のように与えられる：
【００７０】
【数２２】
0004263368.tif 000031
干渉使用者の有効拡散シーケンスは希望する使用者信号のシンボル周期からシンボル周期で変化するので、図１のアーキテクチャが採用される。
【００７１】
図８および図９は本発明の特徴に基づいてシンボル推定値を生成するための動作例を図示する流れ図である。図示されている流れ図のブロック、および図示されている流れ図のブロックの組み合わせは、コンピュータ、プロセッサまたはその他のデータ処理装置上にロードされているコンピュータプログラム命令で実現することが可能であり、コンピュータまたはその他のデータ処理装置上で実行する命令が流れ図のブロックまたは複数のブロックで指定される機能を実現するための手段を生成するように機械を作り出す。例えば、図示されている流れ図のブロックは、図１および図２に図示されている端末の様な移動体セルラ無線電話端末の中に組み込まれているマイクロプロセッサ、ディジタル信号処理装置（ＤＳＰ）、特定用途集積回路または同様の装置内にロードされ実行されるコンピュータ命令として実現できる。コンピュータプログラム命令はまた、コンピュータまたはその他のプログラム可能データ処理装置上にロードされて、コンピュータまたはその他のプログラム可能装置上で実施されるべき一連の動作ステップを引き起こさせ、コンピュータまたはその他のプログラム可能装置上で実行される命令が流れ図の１つまたは複数のブロック内で指定された機能を実現するためのステップを提供するようにコンピュータで実現される処理を生成するようにも出来る。
【００７２】
従って、図示されている流れ図のブロックは、指定された機能を実施するための手段の組み合わせ、および指定された機能を実施するためのステップの組み合わせをサポートする。また理解されるように、図示された流れ図の各々のブロックおよび図示された流れ図のブロックの組み合わせは、特定機能またはステップを実行する特定用途ハードウェアに基づくコンピュータシステム、または特定用途ハードウェアとコンピュータ命令の組み合わせで実現できる。
【００７３】
図８は受信された通信信号から、すなわち考えられる拡散シーケンスの組の希望する拡散シーケンスに基づき送信された成分を含む受信された信号から、シンボル推定値を生成するための動作例８００を図示する。通信信号が受信され（ブロック８１０）、デスクランブルされて多重通路信号成分が生成される（ブロック８２０）。多重通路信号成分は続いてアダマール変換されて多重通路信号成分と考えられる拡散シーケンスの組との相関が生成される（ブロック８３０）。相関は続いて極大比率組み合わせされて、それぞれの考えられる拡散シーケンスに関連する信号のそれぞれのエネルギーが決定される（ブロック８４０）。関連するエネルギーが予め定められた閾値を超えているか否かに基づいて干渉符号が同定される（ブロック８５０）。対応するシンボルおよび電力推定値が同定された干渉シーケンスに対して生成され（ブロック８６０）、それらは多重通路信号成分と希望する拡散シーケンス（ブロック８７０）との相関内の対応する干渉成分を相殺するために使用される。このように生成された干渉相殺相関は続いて極大比率組み合わせされてシンボル推定値が生成される（ブロック８８０）。
【００７４】
図９はその中で固定拡散係数が使用されているシンボル推定用の動作例９００を図示し、間欠的に干渉シーケンスの同定を可能とする。Ｍ個の最も強い干渉符号（シーケンス）が希望する信号の第１シンボル周期に対して決定される（ブロック９１０）。通信信号が第２信号周期に対して受信され（ブロック９２０）、これはデスクランブルされて複数の多重通路信号成分を生成する（ブロック９３０）。多重通路信号成分は希望するシーケンスおよびＭ個の同定された干渉シーケンスと相関が取られ（ブロック９４０）、希望する信号および第２シンボル周期に対するＭ個の干渉信号に対してシンボルおよび電力推定値が生成される（ブロック９５０）。干渉成分が希望するシーケンスと多重通路信号成分の相関から相殺され（ブロック９６０）、このように生成された干渉が相殺された相関は組み合わされて第２シンボル周期に対するシンボル推定値を生成する（ブロック９７０）。
【００７５】
図および明細書の中で、本発明の典型的な好適な実施例が開示されて、特定の用語が使用されてきたが、それらは一般的かつ説明を意図してのみ使用され、添付の特許請求項に記載されている本発明の真意を限定する目的では使用されていない。
【図面の簡単な説明】
【図１】  図１は従来型セルラ通信システムを図示する。
【図２】  図２は従来型セルラ通信システムを図示する。
【図３】  図３は本発明の１つの実施例に基づくシンボル推定装置を図示する。
【図４】  図４は図４Ａと図４Ｂの構成を図示する。
【図４Ａ】  図４Ａは本発明の別の実施例に基づくシンボル推定装置を図示する。
【図４Ｂ】  図４Ｂは本発明の別の実施例に基づくシンボル推定装置を図示する。
【図５】  図５は本発明の１つの実施例に基づくシンボル推定動作の例を図示する。
【図６】  図６は可変拡散係数ＣＤＭＡシステムに対する符号ツリーを図示する。
【図７】  図７は異なる拡散係数を具備した信号間の関係を図示する。
【図８】  図８は本発明の種々の実施例に基づくシンボル推定動作の例を図示する。
【図９】  図９は本発明の種々の実施例に基づくシンボル推定動作の例を図示する。
【図１】
0004263368.tif 000032
【図２】
0004263368.tif 000033
【図３】
0004263368.tif 000034
【図４】
0004263368.tif 000035
【図４Ａ】
0004263368.tif 000036
【図４Ｂ】
0004263368.tif 000037
【図５】
0004263368.tif 000038
【図６】
0004263368.tif 000039
【図７】
0004263368.tif 000040
【図８】
0004263368.tif 000041
【図９】
0004263368.tif 000042